(57)【要約】【課題】釣り糸を通す必要がなく、何時でも外掛けして用いることができる上、釣り糸が引っ張られる力を弱めることができる外掛け式ウキ補助部品を提供する。【解決手段】外掛け式ウキ補助部品１は、互いに接続された第１の貫通孔１１および第１のスリット１２を有する第１の端部１０と、互いに接続された第２の貫通孔２１および第２のスリット２２を有する第２の端部２０とを有する弾性体６を備える。釣り糸は、第１のスリット１２および第２のスリット２２のそれぞれに通して第１の貫通孔１１および第２の貫通孔２１に通す。【選択図】図１
0003156515.tif 000002
【実用新案登録請求の範囲】
【請求項１】
外掛け方式により釣り糸に取り付ける外掛け式ウキ補助部品であって、
互いに接続された第１の貫通孔および第１のスリットを有する第１の端部と、
互いに接続された第２の貫通孔および第２のスリットを有する第２の端部と、を有する弾性体を備え、
前記釣り糸は、前記第１のスリットおよび前記第２のスリットのそれぞれに通して前記第１の貫通孔および前記第２の貫通孔に通すこと、
を特徴とする外掛け式ウキ補助部品。
【請求項２】
前記弾性体を収納するスリーブ貫通孔が中心に設けられ、切欠き溝が縦向断面に設けられたスリーブをさらに備えること、
を特徴とする請求項１に記載の外掛け式ウキ補助部品。
【請求項３】
前記弾性体の前記第１の端部から前記第２の端部の形成方向は縦方向であり、
前記弾性体は、前記縦方向に対して略垂直に設けられた少なくとも１つの横凹溝を有すること、
を特徴とする請求項１または２に記載の外掛け式ウキ補助部品。
【請求項４】
前記弾性体は、両側に設けられた第１の縦凹溝および第２の縦凹溝を有し、
前記第１の縦凹溝は、前記第１の貫通孔および前記第２の貫通孔に接続され、
前記第２の縦凹溝は、前記第１の貫通孔および前記第２の貫通孔に接続され、
前記第１の縦凹溝および前記第２の縦凹溝は、前記縦方向に対して略平行に設けられること、
を特徴とする請求項３に記載の外掛け式ウキ補助部品。
【請求項５】
前記弾性体は長尺状であること、
を特徴とする請求項４に記載の外掛け式ウキ補助部品。
【請求項６】
前記弾性体の前記第１の端部から前記第２の端部の形成方向は縦方向であり、
前記弾性体は、両側に設けられた第１の縦凹溝および第２の縦凹溝を有し、
前記第１の縦凹溝は、前記第１の貫通孔および前記第２の貫通孔に接続され、
前記第２の縦凹溝は、前記第１の貫通孔および前記第２の貫通孔に接続され、
前記第１の縦凹溝および前記第２の縦凹溝は、前記縦方向に対して略平行に設けられること、
を特徴とする請求項１または２に記載の外掛け式ウキ補助部品。
【考案の詳細な説明】
【技術分野】
【０００１】
本考案は釣具に関し、特に、外掛け式ウキ補助部品に関する。
【背景技術】
【０００２】
ウキ止めゴムは、釣りをするときによく用いるウキの補助部品であり、使用する際はウキ止めゴムおよびウキに釣り糸を通し、ウキの位置決めを行うために用いる。一般にウキ止めゴムは、弾性を有するゴムからなる楕円形の豆状体（一般にウキよりも小さい）であり、貫通孔が設けられている。その貫通孔に釣り糸を通すと、ゴムの摩擦力により釣り糸に固定される。
【０００３】
しかし、現在市販されているウキ止めゴムは使用する際、釣り糸を通す必要があり、釣り糸を通し忘れたり、後で取り付ける場合、釣り糸に取り付けられている他の釣具を取り外してからウキ止めゴムを取り付け、その後、取り外した釣具を再度取り付けていた。そのため、使用上不便であった。さらに、釣りをする際、釣り糸が強い力で引っ張られると切れやすく、従来市販されているウキ止めゴムは、釣り糸が引っ張られる力を弱める機能を備えていなかった。
【考案の概要】
【考案が解決しようとする課題】
【０００４】
本考案は、釣り糸を通す必要がなく、何時でも外掛けして用いることができる外掛け式ウキ補助部品を提供することを目的とする。また、本考案は、釣り糸が引っ張られる力を弱めることができる外掛け式ウキ補助部品を提供することを目的とする。
【課題を解決するための手段】
【０００５】
上述した課題を解決し、目的を達成するために、請求項１に記載の外掛け式ウキ補助部品は、外掛け方式により釣り糸に取り付ける外掛け式ウキ補助部品であって、互いに接続された第１の貫通孔および第１のスリットを有する第１の端部と、互いに接続された第２の貫通孔および第２のスリットを有する第２の端部と、を有する弾性体を備え、前記釣り糸は、前記第１のスリットおよび前記第２のスリットのそれぞれに通して前記第１の貫通孔および前記第２の貫通孔に通すこと、を特徴とする。
【０００６】
また、請求項２に記載の外掛け式ウキ補助部品は、請求項１に記載の外掛け式ウキ補助部品において、前記弾性体を収納するスリーブ貫通孔が中心に設けられ、切欠き溝が縦向断面に設けられたスリーブをさらに備えること、を特徴とする。
【０００７】
また、請求項３に記載の外掛け式ウキ補助部品は、請求項１または２に記載の外掛け式ウキ補助部品において、前記弾性体の前記第１の端部から前記第２の端部の形成方向は縦方向であり、前記弾性体は、前記縦方向に対して略垂直に設けられた少なくとも１つの横凹溝を有すること、を特徴とする。
【０００８】
また、請求項４に記載の外掛け式ウキ補助部品は、請求項３に記載の外掛け式ウキ補助部品において、前記弾性体は、両側に設けられた第１の縦凹溝および第２の縦凹溝を有し、前記第１の縦凹溝は、前記第１の貫通孔および前記第２の貫通孔に接続され、前記第２の縦凹溝は、前記第１の貫通孔および前記第２の貫通孔に接続され、前記第１の縦凹溝および前記第２の縦凹溝は、前記縦方向に対して略平行に設けられること、を特徴とする。
【０００９】
また、請求項５に記載の外掛け式ウキ補助部品は、請求項４に記載の外掛け式ウキ補助部品において、前記弾性体は長尺状であること、を特徴とする。
【００１０】
また、請求項６に記載の外掛け式ウキ補助部品は、請求項１または２に記載の外掛け式ウキ補助部品において、前記弾性体の前記第１の端部から前記第２の端部の形成方向は縦方向であり、前記弾性体は、両側に設けられた第１の縦凹溝および第２の縦凹溝を有し、前記第１の縦凹溝は、前記第１の貫通孔および前記第２の貫通孔に接続され、前記第２の縦凹溝は、前記第１の貫通孔および前記第２の貫通孔に接続され、前記第１の縦凹溝および前記第２の縦凹溝は、前記縦方向に対して略平行に設けられること、を特徴とする。
【考案の効果】
【００１１】
本考案の外掛け式ウキ補助部品は、釣り糸を通す必要がなく、何時でも外掛けして用いることができる上、釣り糸が引っ張られる力を弱めることができる。
【図面の簡単な説明】
【００１２】
【図１】本考案の第１実施形態による外掛け式ウキ補助部品を示す斜視図である。
【図２】本考案の第１実施形態による外掛け式ウキ補助部品を示す正面図である。
【図３】本考案の第１実施形態による外掛け式ウキ補助部品を示す背面図である。
【図４】本考案の第１実施形態による外掛け式ウキ補助部品を使用するときの状態を示す斜視図である。
【図５】本考案の第１実施形態による外掛け式ウキ補助部品を使用するときの状態を示す斜視図である。
【図６】本考案の第１実施形態による外掛け式ウキ補助部品を使用するときの状態を示す斜視図である。
【図７】本考案の第１実施形態による外掛け式ウキ補助部品を使用するときの状態を示す斜視図である。
【図８】本考案の第１実施形態による外掛け式ウキ補助部品を使用するときの状態を示す斜視図である。
【図９】本考案の第１実施形態による外掛け式ウキ補助部品を使用するときの状態を示す斜視図である。
【図１０】本考案の第２実施形態による外掛け式ウキ補助部品を示す斜視図である。
【図１１】本考案の第２実施形態による外掛け式ウキ補助部品を示す断面図である。
【図１２】本考案の第３実施形態による外掛け式ウキ補助部品を示す正面図である。
【図１３】本考案の第３実施形態による外掛け式ウキ補助部品を示す背面図である。
【考案を実施するための最良の形態】
【００１３】
以下に添付図面を参照して、この考案に係る外掛け式ウキ補助部品の各実施の形態を詳細に説明する。
【００１４】
（第１実施形態）
図１〜図３を同時に参照する。図１は、本考案の第１実施形態による外掛け式ウキ補助部品を示す斜視図である。図２は、本考案の第１実施形態による外掛け式ウキ補助部品を示す正面図である。図３は、本考案の第１実施形態による外掛け式ウキ補助部品を示す背面図である。第１実施形態の外掛け式ウキ補助部品１は、ゴムなどからなる弾性体６を含む。弾性体６は、第１の端部１０および第２の端部２０を含む。第１の端部１０は、互いに接続された第１の貫通孔１１および第１のスリット１２を含む。第２の端部２０は、互いに接続された第２の貫通孔２１および第２のスリット２２を含む。
【００１５】
図４〜図９を参照する。図４〜図９は、本考案の第１実施形態による外掛け式ウキ補助部品を使用するときの状態を示す斜視図である。説明の都合上、以下では釣り糸９の上下部をそれぞれ上部９１および下部９２と呼ぶ。本実施形態の外掛け式ウキ補助部品１は、外掛け方式により釣り糸９上に取り付けることができる。つまり、上部９１または下部９２に取り付けられた釣具を取り外さずに（即ち、釣り糸９の上部９１および下部９２に他の釣具を取り付けた状態で）、釣り糸９に外掛け式ウキ補助部品１を外掛け方式で取り付けることができる。図４に示すように、釣り糸９の上部９１の一部を第１のスリット１２を介して第１の貫通孔１１に通し、釣り糸９の下部９２の一部を第２のスリット２２を介して第２の貫通孔２１に通す。このように、第１の貫通孔１１および第２の貫通孔２１に釣り糸９を通す（図５に示す）。続いて、図６に示すように、釣り糸９の上部９１の一部を第２のスリット２２を介して第２の貫通孔２１の中に通す（図７に示す）。図８に示すように、釣り糸９の下部９２の一部は、第１のスリット１２を介して第１の貫通孔１１の中に通す（図９に示す）。これにより、外掛け式ウキ補助部品１は、外掛け方式により釣り糸９上に取り付けられ、上述の方式（図４〜９に示す）により釣り糸９を弾性体６上に巻き付けて強固に縛る。そのため、釣り糸９が突然引っ張られたときに、弾性体６が有する弾性により引っ張られる力を弱め、釣り糸９が切れることを防ぐ。
【００１６】
（第２実施形態）
図１０および図１１を同時に参照する。図１０は、本考案の第２実施形態による外掛け式ウキ補助部品を示す斜視図である。図１１は、本考案の第２実施形態による外掛け式ウキ補助部品を示す断面図である。図１０および図１１に示すように、第２実施形態の外掛け式ウキ補助部品１ａは、スリーブ７をさらに含む。スリーブ７は、スリーブ本体７１を含み、中心部分にスリーブ貫通孔７２が設けられ、側部に案内溝７３１を有する切欠き溝７３が縦断面部分に設けられている。さらに、スリーブ７は、外周に複数の柱状突起物（図示せず）が設けられ、一部の厚さが厚くなっているため、強固で耐用性が高い。続いて、図１０に示すように、使用する際、まず、上述のステップ（図４〜図９に示す）により、釣り糸９に弾性体６を取り付け、案内溝７３１に釣り糸９を通してから切欠き溝７３を介してスリーブ貫通孔７２の中に入れ、弾性体６の上方にスリーブ７を配置させる。ここで、案内溝７３１は、釣り糸９を切欠き溝７３に通してスリーブ貫通孔７２に通し易いようにスリーブ７に設けられているが、他の実施形態では設けなくともよい。続いて、スリーブ７を押下し、弾性体６の外縁に外嵌させることにより、スリーブ貫通孔７２の中に弾性体６を収納させる（図１１に示す）。ユーザは、スリーブ７を押下し、スリーブ７の中に弾性体６を配置させる工程では、弾性体６が弾性を備えているため、スリーブ７の中に入れやすい上、弾性体６の弾性および摩擦力により、弾性体６の外縁にスリーブ７を取り付けることができる。スリーブ７は、図１０に示すように弾性体６の上方から押下するだけに限定されるわけではなく、弾性体６のもう一つの側部（即ち、図１０の弾性体６の下方）から弾性体６に向かって押上し、弾性体６の外縁に外嵌させることもできる。このように、弾性体６の外縁にスリーブ７が外嵌されているため、釣り糸９が引っ張られても、弾性体６が曲がり過ぎることはない。
【００１７】
（第３実施形態）
図１２および図１３を同時に参照する。図１２は、本考案の第３実施形態による外掛け式ウキ補助部品を示す正面図である。図１３は、本考案の第３実施形態による外掛け式ウキ補助部品を示す背面図である。図１２および図１３に示すように、第３実施形態の弾性体６ｂは、長尺状であるが、図１〜図１３に示すような形状、長柱形状または不規則形状の長形物体でもよい。第３実施形態では、弾性体６ｂを釣り糸に取り付ける際、第１実施形態および第２実施形態の方法と同様に、スリーブ７を組み合わせて使用してもよい。第３実施形態の弾性体６ｂは、少なくとも１つの横凹溝３０、第１の縦凹溝４０および第２の縦凹溝５０を含む。弾性体６ｂの第１の端部１０から第２の端部２０まで形成する方向は縦方向であり、少なくとも１つの横凹溝３０は、縦方向に対して略垂直に設けられている。釣り糸が引っ張られると、弾性体６ｂが押圧されるため、横凹溝３０は、釣り糸が引っ張られる力を弱める機能を有する。特に、弾性体６ｂが硬い材料からなる場合、横凹溝３０を設ける必要がある。第１の縦凹溝４０および第２の縦凹溝５０のそれぞれは、弾性体６ｂの両側に設けられ、釣り糸を収納するために用いる。第１の縦凹溝４０は、第１の貫通孔１１および第２の貫通孔２１に接続され、第２の縦凹溝５０は、第１の貫通孔１１および第２の貫通孔２１に接続され、第１の縦凹溝４０および第２の縦凹溝５０のそれぞれは、縦方向に対して略平行に設けられている。
【００１８】
本考案の外掛け式ウキ補助部品１、１ａ、１ｂは、ウキの下方および上方に取り付けられ、ウキの位置決め機能と、釣り糸が引っ張られる力を弱める機能と、を備える。さらに、本考案の外掛け式ウキ補助部品１、１ａ、１ｂは、従来のウキ止めゴムよりも大きく、外表面に鮮やかな色が塗布されているため、目印として用いることができる。またさらに、本考案の外掛け式ウキ補助部品１、１ａ、１ｂは、必要に応じて外掛け方式により何時でも釣り糸に取り付けることができるため、使用が簡便である上、釣り糸が引っ張られる力を弱めることにより切れることを防ぐことができる。
【００１９】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
１、１ａ、１ｂ  外掛け式ウキ補助部品
６、６ｂ  弾性体
７  スリーブ
９  釣り糸
１０  第１の端部
１１  第１の貫通孔
１２  第１のスリット
２０  第２の端部
２１  第２の貫通孔
２２  第２のスリット
３０  横凹溝
４０  第１の縦凹溝
５０  第２の縦凹溝
７１  スリーブ本体
７２  スリーブ貫通孔
７３  切欠き溝
９１  上部
９２  下部
７３１  案内溝
【図１】
0003156515.tif 000003
【図２】
0003156515.tif 000004
【図３】
0003156515.tif 000005
【図４】
0003156515.tif 000006
【図５】
0003156515.tif 000007
【図６】
0003156515.tif 000008
【図７】
0003156515.tif 000009
【図８】
0003156515.tif 000010
【図９】
0003156515.tif 000011
【図１０】
0003156515.tif 000012
【図１１】
0003156515.tif 000013
【図１２】
0003156515.tif 000014
【図１３】
0003156515.tif 000015